(57)【要約】      （修正有）【課題】 脱ぎ易いツナギ服の提供。【解決手段】ツナギ服の左右肩部分のいずれか一方又は双方に、開閉自在のスリット部を少なくとも１ケ所設けたこと。【選択図】図２
2006265790.tif 000002
【特許請求の範囲】
【請求項１】
ツナギ服の左右肩部分のいずれか一方又は双方に、開閉自在のスリット部を少なくとも１ケ所設けたことを特徴とするツナギ服
【請求項２】
開閉自在のスリット部がファスナー、ホック、ボタン及びマジックテープの少なくとも１つの手段によるものである請求項１に記載のツナキ服
【請求項３】
開閉自在のスリットが左右肩部分のいずれか一方又は双方の前部分（前布帛）と背中部分（背側布帛）との縫合部に設けられた請求項１に記載のツナギ服
【請求項４】
上記スリット部が、更にソデの部分まで延長されて設けられている請求項３に記載のツナギ服
【発明の詳細な説明】
【技術分野】
【０００１】
本発明はツヅキ服又はツナギ服と称される上着とズボンとが一体的になった服（以下単にツナギ服という）に関する
【背景技術】
【０００２】
所謂ツナギ服は上下がつながった服であって、各種作業に従事する人々が使用する作業着として主に使用されており、たとえば自動車整備作業、荷物運搬作業をはじめその他数多くの作業をする人々が着用する衣服である。
【０００３】
このツナギ服は、作業に最適であるという極めて優れた利点があるが、このツナギ服を着用後脱ぐときは、上下が続いているために上衣のほうから脱ぐ必要がある。
【０００４】
しかし乍らこのツナギ服はすでに述べた通り上下が一体となった衣服であるため、脱ぐときに上着を脱ごうとしても、通常の上着と異なり、上着の動きが大きく制限され、身体と上着との間のゆとりが少ないために極めて脱ぎ難いという難点がある。特に冬期の如く、ツナギ服の下に沢山の下着や防寒下着を着用している場合とか、夏期の如く汗が出て、下着等に水分が付着している場合には、更に一段とツナギ服の上着部分の動きが悪くなり、極めて脱ぎ難くなるという大きな難点がある。
【０００５】
周知の通りツナギ服には男性用と女性用が、場合によって子供用のものもあるが、いずれのツナギ服でもやはり共通して上記難点が存在する。
【０００６】
このため現在ツナギ服の利点を損なうことなく、脱ぎ易いツナギ服を開発することが大きな問題となっている。
【発明の開示】
【発明が解決しようとする課題】
【０００７】
本発明が解決しようとする課題は、上記従来の問題点を解決することであり、これを換言すれば、脱ぎ易いツナギ服を開発することである。
【課題を解決するための手段】
【０００８】
この課題は、ツナギ服の左右肩部分のいずれか一方又は双方に、開閉自在のスリット部を少なくとも、１ケ所設けることによって解決される。
【０００９】
本発明の最大の特徴は、ツナギ服の上着の左右の肩部分の少なくとも一方に、開閉自在のスリット部を少なくとも１ケ所設けることである。これについて図面を参照しつつ詳しく説明する。
【００１０】
図１は従来のツナギ服（１）の代表的な一例を示す図面であり、上着（２）とズボン（３）とは一体的につながっている。
【００１１】
このツナギ服（１）を着用するときはファスナー（５）を開いてズボンの方から足を入れて着用し、着用後はファスナー（５）を閉じる。そしてこのツナギ服（１）を脱ぐときは、ファスナー（５）を開いて、肩の部分（４）、を同時或は順次に背中から腕（袖）の方にずらして肩の部分（４）、を服から出し、次いで上着（２）を上半身からはずし、上着（２）と共にズボン（３）を下げて脱ぐのが通常である。
【００１２】
しかし乍らツナギ服（１）を脱ぐ際に、肩の部分（４）を上着（３）より極めてはずし難い。その理由はすでにのべた通り、上下がつながっているために、上着（２）部分を肩からはずそうとしても、上着（２）の動きが大きく制限され、なかなか肩部分を上着からはずすことが出来ないのである。
【００１３】
これに対し、本発明では、たとえば図２に示す如くツナギ服（１）の上着（２）の肩部分（４）のいずれか一方または双方に、開閉自在のスリット部（６）を設ける。但し図２では便宜上、ツナギ服の上着（２）部分だけを図示した。この図２に於いて示したスリット部（６）は、従来のツナギ服（１）の上着（２）の前部分（胸部分）と後部分（背中部分）との縫合部（７）上に設けられており、スリット部（６）を設けることによりこのスリット部（６）を閉じたときは、前部分（胸部分）と後部分（背中部分）とがあたかも縫合された状態となる。
【００１４】
即ち縫合部に代えて、スリット部（６）が設けられていることとなる。そして、ツナギ服を着たり、脱いだりするときは、このスリット部（６）を開くことにより、上着部分（２）の肩部分（４）は大きく開放され、極めて容易に肩の出し入れを行うことが出来、惹いては極めて容易に脱着することが出来る。
【００１５】
この図２の場合は、スリット部（６）は肩の部分だけでも良いが、更にソデ（腕）部分にまで続けて設けても良い。
図３は肩のエリ部分（９）から胸部分に斜方向にスリット部（６）が設けられた場合を示し、スリット部（６）は、場合によっては図４に示す様に、ソデ部（８）との境目またはソデ部（８）まで設けても良い。
【００１６】
本発明に於いては、これ等スリット部は開閉自在に設けられることが重要で、通常ファスナー（チャック）、ジッパー、ボタン、ホック、マジックバンド等を用いて取付けられる。
【００１７】
図３及び図４では、スリット部（６）はエリ部（９）にも設けられているが、必ずしもエリ部（９）には設けなくても良い。
【００１８】
図２〜４のいずれに於いてもスリット部（６）はファスナーを用いた場合を図示しているが、これに限定されず、たとえばホックやボタン等を用いても良く、場合によってはマジックバンドでも良い。
【００１９】
その他本発明に於いてはスリット部（６）はたとえば図５〜図８に示す様な状態で設けても良い。これ等図に於いてはスリット部（６）の大きさや設ける位置はその一例を示したものであり、何等これ等に限定されるものではなく、たとえばスリット部（６）は更に長くなって、たとえばエリ部（９）やソデ部（８）までも延長して設けても良い。
【００２０】
本発明に於いては、これ等図面に於いては、ツナギ服の一方の肩部分について説明しているが、これ等は両肩に設けることも出来る。
【００２１】
本発明に於いて、スリット部（６）を形成するファスナー、ホック、ボタン、マジックバンド等は従来から広く衣服に用いられて来たものが、いずれも広く使用出来る。
【００２２】
そしてたとえばファスナーを用いる場合にはファスナーの取手を、若干大きくすることにより更に一段とツナギ服の脱着が容易となる。
【００２３】
スリット部の長さは通常１００〜３００ｍｍ、好ましくは１５０〜２５０ｍｍ程度、巾は２０〜１００ｍｍ好ましくは３０〜６０ｍｍ程度であるが、ツナギ服の大きさや、男性用、女性用、子供用に合わせて、この範囲に限らず適宜に決定すれば良い。  
【００２４】
本発明に於いて対象となる所謂ツナギ服は、またツヅキ服とも称され、上下が一体となってツナガッタ作業服である。このツナギ服は周知の通り、作業服として広い分野で着用されており、自動車用作業就中自動車修理作業、船舶整備作業、荷役作業、建築作業、塗装作業等をはじめ、簡易防護服、軽防寒服やスポーツ用服（たとえばジャンプスーツ）やカジュアル服として着用されている。本発明に於いては従来から良く知られているこれ等ツナギ服が広く対象となり、男性用ばかりでなく、女性用や子供用も含まれる。またその材質、生地形状、色調等何等の制限を受けず、いずれのツナギ服でも対象となる。
【発明の効果】
【００２５】
本発明のツナギ服は、その肩部分にスリット部（６）が設けられているために、ツナギ服の上着の脱着に極めて便利で、容易に簡単にツナギ服就中上着の脱着が出来るという極めて大きな利点がある。その他更に、スリット部（６）を設けることにより、特にその色調を適宜に選択することにより、一種の模様やカザリとしてのファッション性が向上する効果がある。また図２に示す如く縫合部に代えて使用することにより縫合部を設ける手段を省略することも出来る。
【発明を実施するための最良の形態】
【００２６】
以下に実施例を示して本発明を詳しく説明する。
【実施例１】
【００２７】
図１に示す従来のツナギ服（１）を用い、これに図２に示す如くスリット部（６）を双肩部分（４）に設けた。即ちツナギ服（１）の肩の縫合部（７）の部分を切りさき、ここにスリット部（６）をファスナーを用いてスリット部（６）を設けた。この場合双方の肩部分にスリット部を設けた。このスリット部はエリ部分（９）から肩部分を通って、ソデ部（８）の一部まで設けた。このスリット部の巾は約３５ｍｍ、長さは約２００ｍｍであった。
【実施例２】
【００２８】
上記実施例１に於いて、スリット部（６）として、袖部分には設けず、その他はすべて実施例１と同様に処理した。
【実施例３】
【００２９】
実施例１ではスリット部（６）は従来市販のツナギ服の縫合部（７）を切りさいて設けたが、この例ではこれと同じ型式のツナギ服を新しい布から製作した。この際縫合部（７）は縫合せず、その代りにスリット部を設けた。その他は実施例１に準じて行った。
【実施例４】
【００３０】
図３に示すように、ツナギ服（色調はダイダイ色）にスリット部（６）を設けた。この際のスリット部（６）の色調を青色とし、スリット部（６）を一種の模様となるように設けた。
【実施例５】
【００３１】
上記実施例１に於いて、スリット部（６）として用いたファスナーに代えて、ホックを用い、その他は実施例１と同様に処理した。
【実施例６】
【００３２】
実施例１に於いて、スリット部（６）としてファスナーに代えてボタンを用い、その他は実施例１と同様に処理した。
【図面の簡単な説明】
【００３３】
【図１】図１は従来のツナギ服の一例の説明図である
【図２】図２は本発明のスリット部（６）を設けたツナギ服の一例の上着部分だけを示した説明図である。
【図３】図３は本発明のスリット部（６）を設けた他の一例のツナギ服の上着部分だけを示した説明図である。
【図４】図４は本発明のスリット部（６）を設けた他の一例のツナギ服の上着部分だけを示した説明図である。
【図５】図５は本発明のスリット部（６）を設けた他の一例のツナギ服の上着部分だけを示した説明図である。
【図６】図６は本発明のスリット部（６）を設けた他の一例のツナギ服の上着部分だけを示した説明図である。
【図７】図７は本発明のスリット部（６）を設けた他の一例のツナギ服の上着部分だけを示した説明図である。
【図８】図８は本発明のスリット部（６）を設けた他の一例のツナギ服の上着部分だけを示した説明図である。
【符号の説明】
【００３４】
１  ：  従来のツナギ服  
２  ：  ツナギ服の上着部分
３  ：  ツナギ服のズボン部分
４  ：  ツナギ服の肩部分
５  ：  ツナギ服の従来のファスナー部
６  ：  スリット部
７  ：  胸部（前部）と背中部（後部）との縫合部
８  ：  ソデ部
９  ：  エリ部
【図１】
2006265790.tif 000003
【図２】
2006265790.tif 000004
【図３】
2006265790.tif 000005
【図４】
2006265790.tif 000006
【図５】
2006265790.tif 000007
【図６】
2006265790.tif 000008
【図７】
2006265790.tif 000009
【図８】
2006265790.tif 000010